(57)【要約】      （修正有）【課題】カーポート、高い屋根の車や家屋の二階のＦｉｘ窓の高所の清掃ができるヘッド交換式・高所清掃機を提供する。【解決手段】竿状の棒は伸縮式の数本の棒であり、伸ばして人間の手に持つと４メートル以上のところに届き、竿棒の先端には汚れの付具合でブラシ、ワイパー、布などのそれぞれの清掃ヘッドをバネ式のストッパー付き、つぎ手パイプにはめ込んで交換できて、水は家庭の水道水をホースにて竿棒の手元で接続器具８にて接続さして、竿棒の上に水のホースと洗剤チューブ１１を二股の固定器具６と三脚スタンドを兼ねた三股の固定器具４にて固定さして竿棒の先端に水と洗剤を送り、洗剤は竿棒の手元に付けたピストン方式の洗剤入れ容器に付けたトリッグ１５を引くことにより洗剤を清掃ヘッドに送り込んで洗うことができる器具であり、竿棒の先端付近に付けたモロ部により、汚れの部分に鋭角に当てることができる。【選択図】図１
0003202649.tif 000002
【実用新案登録請求の範囲】
【請求項１】
竿状の棒は伸縮式の数本の棒であり、伸ばして人間の手に持つと４メートル以上のところに届き、竿棒の先端には汚れの付具合でブラシ、ワイパー、布などのそれぞれの清掃ヘッドをバネ式のストッパー付き、つぎ手パイプにはめ込んで交換できて、水は家庭の水道水をホースにて竿棒の手元で市販の接続器具にて接続さして、竿棒の上に水のホースと洗剤チューブを二股の固定器具と三脚スタンドを兼ねた三股の固定器具にて固定さして竿棒の先端に水と洗剤を送り、洗剤は竿棒の手元に付けたピストン方式の洗剤入れ容器に付けたトリッグを引くことにより洗剤を清掃ヘッドに送り込んで洗うことが出来る器具であり、竿棒の先端付近に付けたモロ部により、汚れの部分に鋭角に当てることができて、竿棒の先端部分のモロ部の手元方向につけた三股の三脚スタンド兼固定器具は水道ホース、洗剤チューブを固定さすと共に三脚スタンドにもなり、竿棒の先端部分の清掃ヘッドの部分の重さとぐらつきを安定さして清掃できる、長さが調整できる、ヘッド交換式・高所清掃機。
【考案の詳細な説明】
【技術分野】
【０００１】ガレージのカーポートの屋根、車の屋根、浴室の天井や建物の二階のＦＩＸ窓などの高所の清掃をする機具に関するものである。
【背景技術】
【０００２】カーポートや車の屋根の掃除をしたり、雑巾掛けをしたりする器具は存在する。
【先行技術】
【０００３】  次のようにある。
１、室内の天井、壁等を掃除する握り部分の長い掃除機。
２、ハシゴに上がって人間の手で雑巾、タオル、モップ、布などで清掃する。
３、長い棒の先に長方形や楕円形の針金状の金属や板状のプラスチックで布やモップを挟    んで清掃をする機具で１〜１．５メートルの棒の先に挟んだ布、モップで掃除する。
４、高圧洗浄機でノズルの先より高圧の水を出してコケやゴミなどをとる。
５、ガソリンスタンドにある大掛かりなカーウォシュの機械、その機械の中へ車を入れる    と自動的に洗剤、高圧水、布、が出てきて車の汚れをふきとり、車を清掃して、汚れ    を除去するボデイ高圧洗浄機。
６、先端が動く自在ホーキ。
７、スポンジ、ＰＶＡのモップの先端が交換できる竿状の棒。
８、窓のガラスを拭く水切りワイパー。
９、棒の先端にブラシがついた掃除機。
だだし、現状のいろいろな掃除機や器具の棒の長さは１〜１．５メートルである。
【考案の概要】
【０００４】  車を置くガレージのカーポートの屋根のポリカーボネートや建物の二階のガラスのＦＩＸ窓は長い間、放置されたままの場合が多く、苔、カビ、粉塵、黄砂などがこびりついて少々の高圧洗浄をしてもなかなか取れない。本考案は布やポリエステルやナイロンのモップやワイパー式などの清掃ヘッドを交換してカビなどを溶かす洗剤と水を含ませて、前後、左右に動かすことにより、ごみやカビを取り除く。先端の近辺の竿状の棒の径をベロ部状にしてあるために先端の清掃ヘッドを下へ曲げて清掃する場所に鋭角にあたるようにする。竿棒は伸縮性で長さは３〜３．５メートル〜に伸びるために人間の手に持つと４．５メートル〜まで可能となる。水や洗剤が出て、遠距離操作が簡単である、長さが調整できる、ヘッド交換式・高所清掃機。
【考案が解決しようとする課題】
【０００５】  カーポートの屋根、背の高い車の屋根、建物の二階のＦＩＸ窓などの清掃は高い位置のためにハシゴに上がって作業をしなければならない。高いところで水、洗剤をかけたりモップやブラシを使用したりする清掃は作業性が悪く、危険がともなう。地上にて操作が簡単で、力の弱い女性や一般の人でも簡単にできる機具が求められている。
【課題を解決するための手段】
【０００６】１、竿状の棒の先端の清掃ヘッドの部分はいろいろな形状や種類を用意して、接続器具の    バネ式ストッパー付、つぎ手パイプで入れ替えをする。
▲１▼  丸状、長方形状のモップ、ブラシ
▲２▼  プラスチック、ゴム製のワイパー
▲３▼  布、タオル
▲４▼  既存の掃除機の先端部分
清掃ヘッドの接続器具のバネ式ストッパー付、つぎ手パイプにより、ゴミの付具合や    種類により竿棒に接続する。
２、竿状の棒は伸縮式であり、人間の手に持つと４メートル以上の遠い場所でも届く。
３、先端部の竿の部分をベロ部にしてあるために、角度を自由に曲げることができて清掃    する場所の形状が波状や凸凹状にも対応できる。
４、手元で水、洗剤の量、出し、止めの操作を既存の水道水の接続器具で接続して、スイ    ッチを付けておき、洗剤は水鉄砲式のピストン方式で手元のレバーの操作により、送    り出すことができる。
５、素人の力のない人でもできるために三角スタンド兼固定器具をつけると先端の重さに    対応できて力のない人でも可能である。
６、清掃する物体に応じて、いろいろな硬さ、違う材質の清掃ヘッドを自由に交換するこ    とができる。
７、水、洗剤の混入といろいろな清掃ヘッドの組み合わせにより、しつこい汚れがとれる    。
８、伸縮式の竿棒であり、縮めると１．５〜１．８ｍのコンパクトになり、伸ばして手に    持つと４ｍ〜の遠い場所にも届く。
【考案の効果】
【０００７】  本考案を使用すれば高所の曲線や凸凹な場所でも清掃できて、水や洗剤とともにいろいろな清掃ヘッドの器具を交換することにより、こびりついたカビや苔などの頑固な汚れがとれる。また、素人の力の弱い女性でも操作ができる利点があり、楽しみながら家族と共にできる、長さが調整できる、ヘッド交換式・高所清掃機。
【図面の簡単な説明】
【０００８】
【図１】伸縮式で竿棒を伸ばした状態  ▲１▼  正面図  ▲２▼  側面図  左  右  ▲３▼  下からの図  と上からの図  ▲４▼  斜め図
【図２】竿棒を収納した状態図  ▲１▼  正面図  ▲２▼  上からの図
【図３】清掃ヘッドのいろいろ  ▲１▼  長方形のブラシ  （１）正面図  （２）側面図  左  右  （３）上からの図  （４）斜め図  ▲２▼  プラスチック、ゴム製のワイパー式  ▲３▼  布、タオル
【図４】清掃ヘッドを取り付ける接続器具のバネ式ストッパー付、つぎ手パイプ  ▲１▼  正面図  ▲２▼  側面図  ▲３▼  斜め図  ▲４▼  バネ式ストッパー（バネ式はめ込み器具図）  ▲５▼  バネ式ストッパー（バネ式はめ込み器具）を穴に入れて止めた図
【図５】洗剤入れ、及びピストン拡大図
【図６】洗剤容器の固定器具の図  ▲１▼  正面図  ▲２▼  側面図  ▲３▼  斜め図
【図７】ベロ部を曲げたままのイメージ図
【図８】固定器具兼三脚スタンド（竿棒に水道ホースと洗剤チューブを取り付ける器具）
【図９】竿棒に水道ホース、洗剤チューブを取り付けた図（二脚スタンド）  ▲１▼  正面図  ▲２▼  側面図  ▲３▼  斜め図
【図１０】高い屋根の車を清掃している図
【図１１】Ｆｉｘ窓を清掃している図
【図１２】ガレージの屋根を清掃している図
【符号の説明】
【０００９】１    洗剤ノズル
２    洗剤ノズルの固定器具
３    ベロ部（フレキパイプ）
４    三脚を兼ねた固定器具
５    水ホース
６    固定器具、兼  二脚スタンド
７    水スイッチ
８    水ホースの接続器具
９    つぎ手パイプ用の先端部
１０  竿棒伸縮部
１１  洗剤チューブ
１２  竿棒間の結合部、伸縮固定ジョイント
１３  洗剤入れ容器
１４  洗剤入れ容器の固定器具
１５  トリッグ
１６  ホースの先端のヘッドノズル
１７  竿棒のベース部
１８  ストッパー付きつぎ手パイプ
１９  バネ式のストッパー付、はめ込み具
２０  つぎ手パイプにストッパーになるはめ込み具を入れる穴
２１  清掃ヘッド
【考案を実施するための形態】
【００１０】１、清掃する場所に合わせて、伸縮式の竿棒を伸ばして長くする。
２、竿状の棒の先端の清掃ヘッドは清掃する場所やゴミの状況により、布、ポリエステル    、ナイロンなどのモップや麻、ナイロンなどのブラシやゴム、プラスチックのワイパ    ー式など、いろいろな種類のスペアーから最適な清掃ヘッドを選んでバネ式のストッ    パー付、つぎ手パイプにより、はめ込んで取付ける。
３、家庭の水道蛇口からのホースとホースの接続器具により接続する。洗剤を竿棒の手元    に付けた容器に入れて洗剤チューブに接続する。
４、先端部のベロ部の角度をきめる。固定器具兼三脚スタンドを清掃する場所の近辺に当    てる。
５、先端の清掃ヘッドを頑固な汚れに当てて、水、洗剤の量を調整しながら清掃ヘッドの    モップやブラシを上下、左右に動かして清掃を開始する。
６、隅のところは時間をかけて丁寧に清掃する。
７、清掃が終わったら水を止める。
８、竿状の棒を手元に引く。
９、ヘッドを外して、水洗いをしておく。
１０、洗剤の接続を外したり、水道ホースを外して元に戻す。
【産業上の利用可能性】
【００１１】  カーポートの屋根や二階の窓などは高いためにほとんどがそのまま放置されたままであり、コケやカビ、ゴミで汚い。高齢者や女性はハシゴの高いところにあがるのは危険であるために、困っている人や、家庭は多い。本考案を使用することにより、ガレージや車の屋根や二階の窓をきれいにすることが出来て、地上での作業のために家族みんなで楽しく、遊びながらできる利点もあり、快適生活の日々を送ることができる。
【図１】
0003202649.tif 000003
0003202649.tif 000004
【図２】
0003202649.tif 000005
【図３】
0003202649.tif 000006
【図４】
0003202649.tif 000007
【図５】
0003202649.tif 000008
【図６】
0003202649.tif 000009
【図７】
0003202649.tif 000010
【図８】
0003202649.tif 000011
【図９】
0003202649.tif 000012
【図１０】
0003202649.tif 000013
【図１１】
0003202649.tif 000014
【図１２】
0003202649.tif 000015
【手続補正書】
【提出日】平成27年11月26日(2015.11.26)
【手続補正１】
【補正対象書類名】実用新案登録請求の範囲
【補正対象項目名】全文
【補正方法】変更
【補正の内容】
【実用新案登録請求の範囲】
【請求項１】
竿状の棒は伸縮式の数本の棒であり、伸ばして人間の手に持つと４メートル以上のところに届き、竿棒の先端には汚れの付具合でブラシ、ワイパー、布などのそれぞれの清掃ヘッドをバネ式のストッパー付き、つぎ手パイプにはめ込んで交換できて、水は家庭の水道水をホースにて竿棒の手元で接続器具にて接続さして、竿棒の上に水のホースと洗剤チューブを二股の固定器具と三脚スタンドを兼ねた三股の固定器具にて固定さして竿棒の先端に水と洗剤を送り、洗剤は竿棒の手元に付けたピストン方式の洗剤入れ容器に付けたトリッグを引くことにより洗剤を清掃ヘッドに送り込んで洗うことができる器具であり、竿棒の先端付近に付けたモロ部により、汚れの部分に鋭角に当てることができて、竿棒の先端部分のモロ部の手元方向につけた三股の三脚スタンド兼固定器具は水道ホース、洗剤チューブを固定さすと共に三脚スタンドにもなり、竿棒の先端部分の清掃ヘッドの部分の重さとぐらつきを安定さして清掃できる、長さが調整できる、ヘッド交換式・高所清掃機。
【手続補正２】
【補正対象書類名】図面
【補正対象項目名】全図
【補正方法】変更
【補正の内容】
【図１】
0003202649.tif 000016
【図２】
0003202649.tif 000017
【図３】
0003202649.tif 000018
【図４】
0003202649.tif 000019
【図５】
0003202649.tif 000020
【図６】
0003202649.tif 000021
【図７】
0003202649.tif 000022
【図８】
0003202649.tif 000023
【図９】
0003202649.tif 000024
【図１０】
0003202649.tif 000025
【図１１】
0003202649.tif 000026
【図１２】
0003202649.tif 000027
【図１３】
0003202649.tif 000028
【手続補正３】
【補正対象書類名】明細書
【補正対象項目名】０００８
【補正方法】変更
【補正の内容】
【０００８】
【図１】伸縮式で竿棒を伸ばした状態  ▲１▼正面図  ▲２▼側面図  左  右  ▲３▼下からの図と上からの図
【図２】伸縮式で竿棒を伸ばした状態の斜め図
【図３】竿棒を収納した状態図  ▲１▼正面図  ▲２▼上からの図
【図４】清掃ヘッドのいろいろ  ▲１▼長方形のブラシ  （１）正面図  （２）側面図  左  右  （３）上からの図  （４）斜め図  ▲２▼プラスチック、ゴム製のワイパー式  ▲３▼布、タオル
【図５】清掃ヘッドを取り付ける接続器具のバネ式ストッパー付、つぎ手パイプ  ▲１▼正面図  ▲２▼側面図  ▲３▼斜め図  ▲４▼バネ式ストッパー（バネ式はめ込み器具図）  ▲５▼バネ式ストッパー（バネ式はめ込み器具）を穴に入れて止めた図
【図６】洗剤入れ、及びピストン拡大図
【図７】洗剤容器の固定器具の図  ▲１▼正面図  ▲２▼側面図  ▲３▼斜め図
【図８】ベロ部を曲げたままのイメージ図
【図９】固定器具兼三脚スタンド（竿棒に水道ホースと洗剤チューブを取り付ける器具）
【図１０】竿棒に水道ホース、洗剤チューブを取り付けた図（二脚スタンド）  ▲１▼正面図  ▲２▼側面図  ▲３▼斜め図
【図１１】高い屋根の車を清掃している図
【図１２】Ｆｉｘ窓を清掃している図
【図１３】ガレージの屋根を清掃している図